(57)【特許請求の範囲】
【請求項１】
建物の内部にある臭気発生源の臭気ガスの濃度および種類を検出する臭気センサ、
上記建物の外部に設置され、上記臭気ガスを脱臭する脱臭装置、
上記建物の外部および建物の内部の空気を吸排するための吸排気口、
一端側が上記建物の内部と連通し他端側に上記建物の外部への開口部を有する第一ダクト、
上記第一ダクトと上記脱臭装置とをつなぐ第二ダクト、
上記第一ダクトの上記一端側に設置され、排気ファンおよび吸気ファンとして機能する送風機、
上記第一ダクトの上記他端側に設置され、上記第一ダクトの通風量を制御する第一ダンパ、
上記第一ダクトと上記第二ダクトとの合流部に設置され上記第一ダクトから上記第二ダクトへの通気量を制御する第二ダンパ、
上記脱臭装置の起動および停止を制御し、上記送風機の排気、吸気および停止を制御し、上記第一ダンパおよび第二ダンパの開閉を制御する動力制御回路を備え、
上記動力制御回路は、
上記臭気センサが検出した臭気ガスの濃度が脱臭処理を必要とする所定の設定値を超えた場合に、上記脱臭装置を起動し、上記第一ダンパを全閉とし、上記第二ダンパを全開とし、上記送風機を排気ファンとし、
上記臭気センサが検出した臭気ガスの濃度が上記所定の設定値以下の場合で、上記臭気ガスが人体に影響しない種類の場合に、上記脱臭装置を停止し、上記第二ダンパを全閉とし、上記第一ダンパを全開とし、上記送風機を排気ファンとし、
上記臭気センサが検出した臭気ガスの濃度が上記所定の設定値以下の場合で、上記臭気ガスが人体に影響し得る種類の場合に、上記脱臭装置を停止し、上記第二ダンパを全閉とし、上記第一ダンパを全開とし、上記送風機を吸気ファンとすることを特徴とする脱臭制御システム。
【請求項２】
建物の内部にある複数の臭気発生源それぞれの臭気ガスの濃度および種類を検出する複数の臭気センサ、
上記建物の外部に設置され、上記臭気ガスを脱臭する脱臭装置、
上記建物の外部および建物の内部の空気を吸排するための吸排気口、
上記臭気発生源それぞれに近い位置に配置され、排気ファン及び吸気ファンとして機能する複数の送風機、
一端側に上記送風機それぞれが設置され上記建物の内部と連通し他端側に上記建物の外部への開口部を有する第一ダクト、
上記第一ダクトそれぞれと上記脱臭装置とをつなぐ第二ダクト、
上記第一ダクトそれぞれの上記他端側に設置され、上記第一ダクトの通風量を制御する第一ダンパ、
上記第一ダクトそれぞれと上記第二ダクトとの合流部に設置され上記第一ダクトから上記第二ダクトへの通風量を制御する第二ダンパ、
上記脱臭装置の起動及び停止を制御し、上記送風機それぞれを排気ファン、吸気ファンまたは停止とし、上記第一ダンパそれぞれ及び第二ダンパそれぞれの開閉を制御する動力制御回路を備え、
上記動力制御回路は、
上記複数の臭気センサ全てが検出した臭気ガスの濃度が脱臭処理を必要とする所定の設定値を超えた場合に、上記脱臭装置を起動し、上記第一ダンパの全てを全閉とし、上記第二ダンパの全てを全開とし、上記送風機の全てを排気ファンとし、
上記複数の臭気センサの一部が検出した臭気ガスの濃度が上記所定の設定値を超え、上記複数の臭気センサの他部が検出した臭気ガスの濃度が上記所定の設定値以下である場合に、上記脱臭装置を起動し、上記一部の臭気センサが検出した臭気ガスの臭気発生源に近い位置に配置された送風機を設置した上記第一ダクトの上記第一ダンパを全閉、第二ダンパを全開とし送風機を排気ファンとし、上記他部の臭気センサが検出した臭気ガスの臭気発生源に近い位置に配置された送風機を設置した上記第一ダクトの上記第一ダンパを全開、第二ダンパを全閉とし送風機を吸気ファンとし、
上記複数の臭気センサ全てが検出した臭気ガスの濃度が上記所定の設定値以下の場合で、上記臭気ガスが人体に影響しない種類である場合に、上記脱臭装置を停止し、上記第一ダンパの全てを全開とし、上記第二ダンパの全てを全閉とし、上記送風機の全てを排気ファンとし、
上記複数の臭気センサ全てが検出した臭気ガスの濃度が上記所定の設定値以下の場合で、上記臭気センサの一部が検出した臭気ガスが人体に影響し得る種類であり、上記臭気センサの他部が検出した臭気ガスが人体に影響しない種類である場合に、上記脱臭装置を停止し、上記一部の臭気センサが検出した臭気ガスの臭気発生源に近い位置に配置された送風機を設置した上記第一ダクトの上記第一ダンパを全開、第二ダンパを全閉とし送風機を吸気ファンとし、上記他部の臭気センサが検出した臭気ガスの臭気発生源に近い位置に配置された送風機を設置した上記第一ダクトの上記第一ダンパを全開、第二ダンパを全閉とし送風機を排気ファンとし、
上記複数の臭気センサ全てが検出した臭気ガスの濃度が上記所定の設定値以下である場合で、上記複数の臭気センサ全てが検出した臭気ガスが人体に影響しない種類である場合に、上記脱臭装置を停止し、上記第一ダンパの全てを全開、上記第二ダンパの全てを全閉とし、上記送風機の全てを排気ファンとすることを特徴とする脱臭制御システム。
【発明の詳細な説明】
【技術分野】
【０００１】
本発明は、下水処理場などの建物内にある臭気発生源から発生した臭気ガスを、脱臭装置で脱臭する脱臭制御システムに関するものである。
【背景技術】
【０００２】
悪臭の処置義務については悪臭防止法により定められているところであるが、特に下水処理場においては、処理場周辺の住宅化の進行や、住宅に隣接した場所へ新設される集中豪雨対策のための雨水合流改善用ポンプ場の増加等により、住民の住居環境維持のために、臭気対策を行う設備である脱臭設備は必要不可欠な設備となってきている。
【０００３】
特に、日本の梅雨時期のように湿度が上昇して風がなく、どんよりした雲の多い季節においては、湿気を有する大気中に溶け込んだアンモニア等の臭気ガスが拡散しやすくなる。
【０００４】
しかしながら、臭気が強いというイメージがある下水処理場といえども、設備の種類や、建物の場所、季節、時間帯、さらには流入してくる汚水の水質により臭気ガスの発生状況は異なり、設備の種類や場所、時間帯によっては、専用の脱臭設備を必要とせず、通常換気で十分である場合も多い。
【０００５】
そのような場合、下水処理場内と言えども一般的に使用される建物内空間全体の空気を入れ替えるいわゆる全体換気方式を用いるのが望ましい。また、対象となる臭気成分が、熱気流、水蒸気、臭気、タバコ煙、油煙、塵埃空気等のような人体に影響しないような種類の場合には排気方式とし、対象となる臭気成分が、例えば、硫化水素等のような人体に影響し得る種類の場合には外気を建屋内空間に吸気して建物内全体に拡散させて硫化水素濃度を希釈する吸気方式とするのが望ましい。そのため、排気用のダクト及び排気用の送風機と吸気用のダクト及び吸気用の送風機とを設けている。
【０００６】
また、臭気ガスの主成分であるアンモニア、硫化水素、メルカプタン等の混合ガスを除去するための対策として、活性炭吸着法、生物脱臭法、化学薬品中和法、燃焼法などにあげられる各種脱臭技術を用いた脱臭設備を設ける。この脱臭装置本体において、ランニングコストが高いものが多いため、より効率のよい運用を行うことで、ランニングコストを低減する方法が求められている。
【０００７】
この脱臭設備のランニングコストを低減するために、例えば、特許文献１においては、対象となる汚染空気中の臭気ガス濃度を臭気センサで検出し、検出した臭気ガス濃度が、設定値以下の場合はそのまま大気に放出し、設定値を超えた場合には活性炭吸着法で処理した後大気に放出するようにしている。
【先行技術文献】
【特許文献】
【０００８】
【特許文献１】特開平２−１１５０１９号公報（第２頁−第３頁、図１）
【発明の概要】
【発明が解決しようとする課題】
【０００９】
上記のように、臭気ガスの人体に対する影響に応じて吸気方式としたり排気方式とする場合、吸気用の送風機と排気用の送風機、それぞれの送風機が取り付けられる専用のダクト及びダンパ等を設置する等のため設備投資にコストがかかり、また、ランニングコストが高くなるという問題があった。
【００１０】
本発明は、このような問題を解決するためになされたものであり、専用ダクト等の設備、送風機、ダンパ等の構成機器を極力減らし、設備投資を少なくすることを目的とする。
【課題を解決するための手段】
【００１１】
本発明に係る第１の脱臭制御システムは、建物の内部にある臭気発生源の臭気ガスの濃度および種類を検出する臭気センサ、
上記建物の外部に設置され、上記臭気ガスを脱臭する脱臭装置、
上記建物の外部および建物の内部の空気を吸排するための吸排気口、
一端側が上記建物の内部と連通し他端側に上記建物の外部への開口部を有する第一ダクト、
上記第一ダクトと上記脱臭装置とをつなぐ第二ダクト、
上記第一ダクトの上記一端側に設置され、排気ファンおよび吸気ファンとして機能する送風機、
上記第一ダクトの上記他端側に設置され、上記第一ダクトの通風量を制御する第一ダンパ、
上記第一ダクトと上記第二ダクトとの合流部に設置され上記第一ダクトから上記第二ダクトへの通気量を制御する第二ダンパ、
上記脱臭装置の起動および停止を制御し、上記送風機の排気、吸気および停止を制御し、上記第一ダンパおよび第二ダンパの開閉を制御する動力制御回路を備え、
上記動力制御回路は、
上記臭気センサが検出した臭気ガスの濃度が脱臭処理を必要とする所定の設定値を超えた場合に、上記脱臭装置を起動し、上記第一ダンパを全閉とし、上記第二ダンパを全開とし、上記送風機を排気ファンとし、
上記臭気センサが検出した臭気ガスの濃度が上記所定の設定値以下の場合で、上記臭気ガスが人体に影響しない種類の場合に、上記脱臭装置を停止し、上記第二ダンパを全閉とし、上記第一ダンパを全開とし、上記送風機を排気ファンとし、
上記臭気センサが検出した臭気ガスの濃度が上記所定の設定値以下の場合で、上記臭気ガスが人体に影響し得る種類の場合に、上記脱臭装置を停止し、上記第二ダンパを全閉とし、上記第一ダンパを全開とし、上記送風機を吸気ファンとするものである。
【００１２】
本発明に係る第２の脱臭制御システムは、建物の内部にある複数の臭気発生源それぞれの臭気ガスの濃度および種類を検出する複数の臭気センサ、
上記建物の外部に設置され、上記臭気ガスを脱臭する脱臭装置、
上記建物の外部および建物の内部の空気を吸排するための吸排気口、
上記臭気発生源それぞれに近い位置に配置され、排気ファン及び吸気ファンとして機能する複数の送風機、
一端側に上記送風機それぞれが設置され上記建物の内部と連通し他端側に上記建物の外部への開口部を有する第一ダクト、
上記第一ダクトそれぞれと上記脱臭装置とをつなぐ第二ダクト、
上記第一ダクトそれぞれの上記他端側に設置され、上記第一ダクトの通風量を制御する第一ダンパ、
上記第一ダクトそれぞれと上記第二ダクトとの合流部に設置され上記第一ダクトから上記第二ダクトへの通風量を制御する第二ダンパ、
上記脱臭装置の起動及び停止を制御し、上記送風機それぞれを排気ファン、吸気ファンまたは停止とし、上記第一ダンパそれぞれ及び第二ダンパそれぞれの開閉を制御する動力制御回路を備え、
上記動力制御回路は、
上記複数の臭気センサ全てが検出した臭気ガスの濃度が脱臭処理を必要とする所定の設定値を超えた場合に、上記脱臭装置を起動し、上記第一ダンパの全てを全閉とし、上記第二ダンパの全てを全開とし、上記送風機の全てを排気ファンとし、
上記複数の臭気センサの一部が検出した臭気ガスの濃度が上記所定の設定値を超え、上記複数の臭気センサの他部が検出した臭気ガスの濃度が上記所定の設定値以下である場合に、上記脱臭装置を起動し、上記一部の臭気センサが検出した臭気ガスの臭気発生源に近い位置に配置された送風機を設置した上記第一ダクトの上記第一ダンパを全閉、第二ダンパを全開とし送風機を排気ファンとし、上記他部の臭気センサが検出した臭気ガスの臭気発生源に近い位置に配置された送風機を設置した上記第一ダクトの上記第一ダンパを全開、第二ダンパを全閉とし送風機を吸気ファンとし、
上記複数の臭気センサ全てが検出した臭気ガスの濃度が上記所定の設定値以下の場合で、上記臭気ガスが人体に影響しない種類である場合に、上記脱臭装置を停止し、上記第一ダンパの全てを全開とし、上記第二ダンパの全てを全閉とし、上記送風機の全てを排気ファンとし、
上記複数の臭気センサ全てが検出した臭気ガスの濃度が上記所定の設定値以下の場合で、上記臭気センサの一部が検出した臭気ガスが人体に影響し得る種類であり、上記臭気センサの他部が検出した臭気ガスが人体に影響しない種類である場合に、上記脱臭装置を停止し、上記一部の臭気センサが検出した臭気ガスの臭気発生源に近い位置に配置された送風機を設置した上記第一ダクトの上記第一ダンパを全開、第二ダンパを全閉とし送風機を吸気ファンとし、上記他部の臭気センサが検出した臭気ガスの臭気発生源に近い位置に配置された送風機を設置した上記第一ダクトの上記第一ダンパを全開、第二ダンパを全閉とし送風機を排気ファンとし、
上記複数の臭気センサ全てが検出した臭気ガスの濃度が上記所定の設定値以下である場合で、上記複数の臭気センサ全てが検出した臭気ガスが人体に影響しない種類である場合に、上記脱臭装置を停止し、上記第一ダンパの全てを全開、上記第二ダンパの全てを全閉とし、上記送風機の全てを排気ファンとするものである。
【発明の効果】
【００１３】
本発明に係る第１の脱臭制御システムは、上記のように構成されているので、第一ダクトに排気ファン及び吸気ファンの切り替え制御ができる送風機を設置することによって、第一ダクトを排気用及び吸気用に共用することができ、また、１台の送風機の設置ですむので設備投資を低減することができ、さらに、ランニングコストを低減することができる。
【００１４】
本発明に係る第２の脱臭制御システムは、上記のように構成されているので、第一ダクトそれぞれを排気用及び吸気用に共用することができるので設備投資を低減することができる、とともに、ランニングコストを低減することができる。
【図面の簡単な説明】
【００１５】
【図１】本発明に係る脱臭制御システムの実施の形態１を示す構成図である。
【図２】図１に示した動力制御回路の内部構成を示すブロック図である。
【図３】本発明に係る脱臭制御システムの実施の形態２を示す構成図である。
【図４】図３に示した動力制御回路の内部構成を示すブロック図である。
【図５】実施の形態２の臭気発生源の状態と各機器の動作状態の遷移をまとめた図である。
【発明を実施するための形態】
【００１６】
以下、図面を参照して、本発明の実施の形態を説明する。
実施の形態１．
図１は、本発明に係る脱臭制御システムの実施の形態１を示す構成図であり、例えば、下水処理場内の建物内にある臭気発生源からの臭気ガスを脱臭する脱臭装置を備えた脱臭制御システムの構成図である。
【００１７】
図１において、本実施の形態１の脱臭制御システムは、建物６外部に配設されて臭気ガスを脱臭する脱臭装置Ｍ１、建物６内にあり臭気ガス等強い臭気を発生させる臭気発生源Ｂ１、臭気発生源Ｂ１の近くに設置された臭気ガスの濃度及び種類を検知する臭気センサＳ１、一端が建物６内部と連通し他端に開口部１を有する第一ダクト２、第一ダクト２の一端側に設置された排気ファン及び吸気ファンとして機能する送風機Ｆ１、第一ダクト２の他端側に設置され、第一ダクト２の通気量を制御するための第一ダンパＤ１、脱臭装置Ｍ１と第一ダクト２とをつなぐ第二ダクト３、第一ダクト２と第二ダクト３の合流部に設置され、第一ダクト２から第二ダクト３内への通気量を制御するための第二ダンパＤ２、送風機Ｆ１の正転及び逆転を制御し、第一ダンパＤ１及び第二ダンパＤ２の開閉を制御し、脱臭装置Ｍ１の起動及び停止を制御をする機能並びに臭気センサＳ１からの信号を基に検出された信号が設定値以上か否か判断する機能を有する動力制御回路Ｋ１を備えている。送風機Ｆ１が正転及び逆転することにより、第一ダクト２は排気及び吸気に共用される。設定値は、悪臭防止法に規定された臭気ガス濃度に基づき、脱臭が必要な所定の値に設定される。
【００１８】
図２は、図１に示した動力制御回路Ｋ１の内部構成を示すブロック図である。
図２に示したように、動力制御回路Ｋ１は、臭気センサＳ１の検出信号が入力される第一インタフェース部１０と、第一インタフェース部１０を介して入力される臭気センサＳ１の検出信号に基づき各種制御を担うコントローラ部１２と、電源Ａ１と、送風機Ｆ１、第一ダンパＤ１、第二ダンパＤ２及び脱臭装置Ｍ１と接続され、コントローラ部１２の指令により送風機Ｆ１を駆動または停止させ、第一ダンパＤ１及び第二ダンパＤ２を開閉させ、脱臭装置Ｍ１を起動または停止させる機能を持つ駆動回路部１３と、臭気制御システムにおける「手動」１１ａあるいは「自動」１１ｂといったモード切替信号や、「起動」１１ｃ、「停止」１１ｄ、「開」１１ｅ、「閉」１１ｆ、「正転」１１ｇ、「逆転」１１ｈといった状態制御信号を取り込む第二インタフェース部１１と、臭気制御システムのモード切替信号や状態制御信号の状態を表示する表示部１４を備える。各機器毎にそれぞれに対応する状態制御信号を設ける。具体的には、送風機Ｆ１に対する状態制御信号は、「正転」「逆転」「停止」とし、脱臭装置Ｍ１に対する状態制御信号は、「起動」「停止」とし、第一ダンパＤ１及び第二ダンパＤ２に対する状態制御信号は、「開」「閉」とする。
【００１９】
図１に示した脱臭制御システムの動作内容を図２を参照して説明する。
図２において、電源Ａ１が供給されると、コントローラ部１２が起動される。第二インタフェース部１１より「手動」１１ａモードが入力され、臭気制御システムのモードが「手動」１１ａモードになっている場合は、第二インタフェース部１１より入力される各個別機器の制御指令「起動」１１ｃ、「停止」１１ｄ、「開」１１ｅ、「閉」１１ｆに基づき、コントローラ部１２から駆動回路部１３に指令を出し、送風機Ｆ１、第一ダンパＤ１、第二ダンパＤ２、脱臭装置Ｍ１を個別に制御することができる。
【００２０】
例えば、臭気制御システムのモードが「手動」モードになっている時、第二インタフェース部１１より送風機Ｆ１の制御指令「正転」１１ｇが入力されると、コントローラ部１２より駆動回路部１３へ送風機Ｆ１のモータを正転駆動させるように制御指令が出される。
【００２１】
次に、図２の第二インタフェース部１１より「自動」１１ｂモードが入力され、臭気制御システムのモードが「自動」モードになっている場合について説明する。臭気制御システムのモードが「自動」モードになっている場合は、第一インタフェース部１０を介してコントローラ部１２に入力される臭気センサＳ１の検出信号に基づいて制御が行われる。
【００２２】
図２において、コントローラ部１２は、臭気センサＳ１によって検出された臭気ガスの濃度が脱臭を必要とする所定の設定値以下で臭気ガスが人体に影響しない種類である場合、駆動回路部１３に対して、脱臭装置Ｍ１を停止し、第一ダンパＤ１を全開、第二ダンパＤ２を全閉とする指令を出す。
【００２３】
さらに、コントローラ部１２は、駆動回路部１３に対して、送風機Ｆ１を排気ファンとして機能させるため、建物６内部から開口部１方向に送風するように送風機Ｆ１を回転させる（本例では、正転方向とする）指令を出し、空気が吸排気口７から建物６内部に流入し、建物６内部の空気は、第一ダクト２を通って開口部１から排出される。
【００２４】
図２において、コントローラ部１２は、臭気センサＳ１によって検出された臭気ガスの濃度が上記設定値以下で臭気ガスが、例えば、硫化水素のような人体に影響し得る種類のものである場合、駆動回路部１３に対して、脱臭装置Ｍ１を停止し、第二ダンパＤ２を全閉、第一ダンパＤ１を全開とする指令を出す。
【００２５】
さらに、コントローラ部１２は、駆動回路部１３に対して、送風機Ｆ１を吸気ファンとして機能させるため、開口部１から建物６内部方向に送風するように送風機Ｆ１を回転させる（本例では、逆転方向とする）指令を出し、外部の空気を開口部１から建物６内部の方向に送風し、空気を建物６内部に拡散させて臭気ガス濃度を希釈し吸排気口７から排出する。
【００２６】
図２において、コントローラ部１２は、臭気センサＳ１が検出する臭気ガスの濃度が設定値を超える場合、駆動回路部１３に対して、停止している脱臭装置Ｍ１を起動し、第二ダンパＤ２を全開、第一ダンパＤ１を全閉とする指令を出す。また、コントローラ部１２は、駆動回路部１３に対して、第一送風機Ｆ２を正転させ、臭気センサＳ２で検知された臭気ガスを建物６内部から第一ダクト２及び第二ダクト３を通過させ、起動された脱臭装置Ｍ１に誘導する。脱臭装置Ｍ１で処理された後の空気は大気に放出される。
【００２７】
脱臭装置Ｍ１による処理の結果、臭気センサＳ１の検出信号のレベルが、上記設定値以下となった場合、脱臭装置Ｍ１を停止、第二ダンパＤ２を全閉、第一ダンパＤ１を全開とし、臭気ガスが人体に影響しない種類である場合は、開口部１から外部へ排気するように、送風機Ｆ１を正転させ、臭気ガスが人体に対して悪影響を与える種類のものである場合は、開口部１から建物６内部へ吸気するように、送風機Ｆ１を逆転させる。
【００２８】
送風機Ｆ１の制御としては、逆転運転から停止、正転運転に移行する際に、送風機Ｆ１の容量が大きく、直ぐに停止しない場合においては、停止指令を出した後、瞬時（０．５秒程度）の正転指令を数回にわけて断続的に出力し、停止後、または一定時間経過後に正転起動することにより、正転起動するまでの時間を短縮することができる。
【００２９】
以上、臭気発生源Ｂ１が１つの場合について説明したが臭気発生源が複数の場合でも本実施の形態１の脱臭制御システムは適用できる。その場合、各臭気発生源それぞれの近くに臭気センサを設置するのが好ましい。
【００３０】
なお、本実施の形態１では、送風機Ｆ１が正転する場合を排気ファン、逆転する場合を吸気ファンとしたが、送風機Ｆ１が正転する場合を吸気ファン、逆転する場合を排気ファンとしてもよい。
【００３１】
本実施の形態１の脱臭制御システムによれば、第一ダクト２に正転及び逆転の制御ができる送風機Ｆ１を設置することによって、第一ダクト２を排気用及び吸気用に共用することができ、また、１台の送風機Ｆ１の設置ですむので設備投資を低減することができる。また、送風機Ｆ１を排気及び吸気に共用できるので、ランニングコストを低減することができる。
【００３２】
また、動力制御回路Ｋ１により、臭気センサＳ１が検出した臭気ガスの濃度が設定値を超えた場合に、脱臭装置Ｍ１を起動し、第一ダンパＤ１を全閉とし、第二ダンパＤ２を全開とし、送風機Ｆ１を正転させ、臭気センサＳ１が検出した臭気ガスの濃度が設定値以下の場合で、臭気ガスが人体に影響がない種類の場合に、脱臭装置Ｍ１を停止し、第二ダンパＤ２を全閉とし、第一ダンパＤ１を全開とし、送風機Ｆ１を正転させ、臭気センサＳ１が検出した臭気ガス濃度が設定値以下の場合で、臭気ガスが人体に影響し得る種類である場合に、脱臭装置Ｍ１を停止し、第二ダンパＤ２を全閉とし、第一ダンパＤ１を全開とし、送風機Ｆ１を逆転させることにより、臭気ガスの濃度及び種類に応じた処理を行うことができるとともに、脱臭装置Ｍ１を起動することが必要な場合以外は脱臭装置Ｍ１を停止することによってランニングコストを低減することができる。
【００３３】
実施の形態２．
図３は、本発明に係る脱臭制御システムの実施の形態２を示す構成図であり、例えば、下水処理場内の建物にある臭気発生源からの臭気ガスを脱臭する脱臭装置を備えた脱臭制御システムの構成図である。
【００３４】
図３において、本実施の形態２の脱臭制御システムは、建物６の外部に配設されて臭気ガスを脱臭する脱臭装置Ｍ１、建物６内にあり臭気ガス等強い臭気を発生させる複数の臭気発生源Ｂ１，Ｂ２、臭気発生源Ｂ１，Ｂ２それぞれの近くに設置された臭気ガスの濃度及び種類を検知する臭気センサＳ１，Ｓ２、臭気発生源Ｂ１，Ｂ２それぞれの近くに配置された送風機Ｆ１，Ｆ２、一端が建物６内部と連通し他端に開口部１を有し、一端側に送風機Ｆ１，Ｆ２が設置された第一ダクト２、脱臭装置Ｍ１と第一ダクト２それぞれとをつなぐ第二ダクト３、第一ダクト２それぞれの他端側に設置され、第一ダクト２の通気量を制御するための第一ダンパＤ１，Ｄ３、第一ダクト２それぞれと第二ダクト３との合流部に設置され第一ダクト２から第二ダクト３への通気量を制御するための第二ダンパＤ２，Ｄ４、送風機Ｆ１，Ｆ２の正転及び逆転を制御し、第一ダンパＤ１，Ｄ３及び第二ダンパＤ２，Ｄ４の開閉を制御する機能並びに臭気センサＳ１，Ｓ２からの検出信号が設定値以上か否かを判断する機能を有する動力制御回路Ｋ１を備える。送風機Ｆ１，Ｆ２が正転及び逆転することにより、第一ダクト２は排気及び吸気に共用される。
【００３５】
図４は、図３に示した動力制御回路Ｋ１の内部構成を示すブロック図である。
図４に示したように、動力制御回路Ｋ１は、電源Ａ１と、各種制御を担うコントローラ部１２と、送風機Ｆ１，Ｆ２、第一ダンパＤ１，Ｄ３、第二ダンパＤ２，Ｄ４及び脱臭装置Ｍ１と接続され、コントローラ部１２の指令により、送風機Ｆ１，Ｆ２を駆動し、第一ダンパＤ１，Ｄ３及び第二ダンパＤ２，Ｄ４を開閉し、脱臭装置Ｍ１を起動または停止させる機能を持つ駆動回路部１３と、臭気センサＳ１，Ｓ２の検出信号が入力される第一インタフェース部１０と、「手動」１１ａ、「自動」１１ｂといった臭気制御システムのモード切替信号や、「起動」１１ｃ、「停止」１１ｄ、「開」１１ｅ、「閉」１１ｆ、「正転」１１ｇ、「逆転」１１ｈといった状態制御信号を取り込む第二インタフェース部１１と、臭気制御システムのモード切替信号や状態制御信号の状態を表示する表示部１４を備えている。各機器毎にそれぞれに対応した状態制御信号を設ける。具体的には、送風機Ｆ１，Ｆ２は、「正転」「逆転」「停止」とし、脱臭装置Ｍ１は、「起動」「停止」とし、第一ダンパＤ１，Ｄ３及び第二ダンパＤ２，Ｄ４は、「開」「閉」とする。
【００３６】
図３に示した脱臭制御システムの動作内容を図４を参照して説明する。
図４において、電源Ａ１が供給されると、動力制御回路Ｋ１のコントローラ部１２が起動される。第二インタフェース部１１より「手動」１１ａモードが入力され、臭気制御システムのモードが「手動」１１ａモードになっている場合は、第二インタフェース部１１より入力される各個別機器の制御指令「起動」１１ｃ、「停止」１１ｄ、「開」１１ｅ、「閉」１１ｆに基づき、コントローラ部１２から駆動回路部１３に指令を出し、送風機Ｆ１，Ｆ２、第一ダンパＤ１，Ｄ３、第二ダンパＤ２，Ｄ４及び脱臭装置Ｍ１を個別に制御することができる。
【００３７】
具体的には、臭気制御システムのモードが「手動」モードになっている時、第二インタフェース部１１より、送風機Ｆ１の制御指令「正転」１１ｇが入力されると、コントローラ部１２より駆動回路部１３へ送風機Ｆ１のモータを正転駆動させるように制御指令が出され、送風機Ｆ２の制御指令「正転」１１ｈが入力されると、コントローラ部１２より駆動回路部１３へ送風機Ｆ２のモータを正転駆動させるように制御指令が出される。
【００３８】
次に、第二インタフェース部１１より「自動」１１ｂモードが入力され、臭気制御システムのモードが「自動」モードになっている場合について説明する。臭気制御システムのモードが「自動」モードになっている場合は、コントローラ部１２に第一インタフェース部１０を介して入力される臭気センサＳ１，Ｓ２の検出信号に基づいて制御が行われる。
【００３９】
図４において、コントローラ部１２は、複数の臭気センサＳ１，Ｓ２の両方が検出した臭気ガスの濃度が設定値以下であり、臭気ガスが人体に影響しない種類の場合においては、駆動回路部１３に対して、脱臭装置Ｍ１を停止、第二ダンパＤ２，Ｄ４を全閉、第一ダンパＤ１，Ｄ３を全開、送風機Ｆ１，Ｆ２を正転、排気ファンとして機能させる制御指令を出し、建物６内部の空気を第一ダクト２を通して開口部１から排出する。
【００４０】
図４において、コントローラ部１２は、第一インタフェース部１０に入力された複数の臭気センサＳ１，Ｓ２の両方が検出する臭気ガスの濃度が設定値以下であり、両方の臭気ガスが人体に対して影響し得る種類である場合においては、駆動回路部１３に対して、脱臭装置Ｍ１を停止し、また、第二ダンパＤ２，Ｄ４を全閉とし、第一ダンパＤ１，Ｄ３を全開とし、送風機Ｆ１，Ｆ２は逆転、吸気ファンとして機能させる指令を出し、外部の空気を開口部１から建物６内部へ第一ダクト２を通して吸気し、拡散させて臭気ガス濃度を希釈する。
【００４１】
また、コントローラ部１２は、第一インタフェース部１０に入力された複数の臭気センサＳ１，Ｓ２が検出する臭気ガスの濃度が両方とも設定値以下であり、臭気センサＳ１，Ｓ２の一方、例えば、臭気センサＳ１が検出する臭気ガスが人体に影響し得る種類であり、他方の臭気センサＳ２が検出する臭気ガスが人体に影響しない種類の場合には、駆動回路部１３に対して、脱臭装置Ｍ１を停止とし、また、第二ダンパＤ２，Ｄ４を全閉とし、第一ダンパＤ１，Ｄ３を全開とし、送風機Ｆ１は逆転、吸気ファンとして機能させ、送風機Ｆ２は正転、排気ファンとして機能させる指令を出し、外部の空気を開口部１から建物６内部へ送風機Ｆ１を通して吸気し、拡散させて臭気ガス濃度を希釈し、建物６内の空気を送風機Ｆ２を通して開口部１から排気する。
【００４２】
コントローラ部１２は、逆に、臭気センサＳ２が検出する臭気ガスが人体に影響し得る種類であり、臭気センサＳ１が検出する臭気ガスが人体に影響しない種類の場合には、脱臭装置Ｍ１を停止とし、また、第二ダンパＤ２，Ｄ４を全閉とし、第一ダンパＤ１，Ｄ３を全開とし、送風機Ｆ２は逆転、吸気ファンとして機能させ、送風機Ｆ１は正転、排気ファンとして機能させる。
【００４３】
図４において、コントローラ部１２は、第一インタフェース部１０に入力された複数の臭気センサＳ１，Ｓ２の一方の臭気センサＳ１が検出する臭気ガスの濃度が設定値を超え、他方の臭気センサＳ２が検出する臭気ガスの濃度が設定値以下である場合においては、駆動回路部１３に対して、停止している脱臭装置Ｍ１を起動させ、且つ、臭気センサＳ１に近い送風機Ｆ１から脱臭装置Ｍ１に臭気ガスを誘導するため、第二ダンパＤ２，第一ダンパＤ３を全開とすると同時に、第一ダンパＤ１，第二ダンパＤ４を全閉とし、且つ送風機Ｆ１が臭気ガスの濃度が設定値を超える直前に、正転、排気ファンとして機能していた場合には、そのままの運転を継続し、逆転、吸気ファンとして機能していた場合には、一度運転を停止し、停止後、または一定時間経過後に、正転、排気ファンとして機能するように切り替え、送風機Ｆ２は、臭気ガスの濃度設定値を超える直前に正転、排気ファンとして機能していた場合には、逆転、吸気ファンとして機能するように切り替える指令を出し、臭気センサＳ１で検知された臭気ガスを起動された脱臭装置Ｍ１に誘導し、建物６外部の空気を開口部１から送風機２を通って建物６内部に誘導し、さらに、臭気発生源Ｂ２及び臭気発生源Ｂ１を通って送風機Ｆ１によって脱臭装置Ｍ１に誘導する。
【００４４】
コントローラ部１２は、逆に、第一インタフェース部１０に入力された臭気センサＳ２が検出する臭気ガスの濃度が設定値を超え、臭気センサＳ１が検出する臭気ガスの濃度が設定値以下である場合においては、臭気センサＳ２に近い送風機Ｆ２から脱臭装置Ｍ１に臭気ガスを誘導するため、第二ダンパＤ４，第一ダンパＤ１を全開とすると同時に、第一ダンパＤ３、第二ダンパＤ２を全閉とし、且つ送風機Ｆ２が臭気ガスの濃度が設定値を超える直前に、正転、排気ファンとして機能していた場合には、そのままの運転を継続し、逆転、吸気ファンとして機能していた場合には、一度運転を停止し、停止後、または一定時間経過後に、正転、排気ファンとして機能するように切り替え、送風機Ｆ１は、臭気ガスの濃度が設定値を超える直前に、正転、排気ファンとして機能していた場合には、逆転、吸気ファンとして機能するように切り替え、臭気センサＳ２で検知された臭気ガスを起動された脱臭装置Ｍ１に誘導し、建物６の外部の空気を送風機Ｆ１から建物６内部に誘導し、さらに、臭気発生源Ｂ１及び臭気発生源Ｂ２を通って送風機Ｆ２によって脱臭装置Ｍ１に誘導する。
【００４５】
これにより、送風機Ｆ１、Ｆ２による臭気ガスの排気送風との双方の効果で、または、送風機Ｆ１による臭気ガスの送風と送風機Ｆ２による臭気ガスの排気との双方の効果で、効率よく臭気ガスを脱臭装置Ｍ１に誘導することができる。
【００４６】
また、臭気発生源Ｂ１，Ｂ２それぞれの近くに送風機Ｆ１，Ｆ２を設置することによって、効率よく臭気ガスを脱臭装置Ｍ１に誘導することができる。
【００４７】
図４において、コントローラ部１２は、第二インタフェース部１１に入力された複数の臭気センサＳ，Ｓ２の両方が検出する臭気ガスの濃度が設定値を超える場合には、駆動回路部１３に対して、脱臭装置Ｍ１を起動させ、且つ、送風機Ｆ１，Ｆ２両方から脱臭装置Ｍ１に臭気ガスを誘導するため、第二ダンパＤ２，Ｄ４を全開とすると同時に、第一ダンパＤ１，Ｄ３を全閉にし、且つ送風機Ｆ１，Ｆ２が臭気ガスのレベルが設定値を超える直前に、正転、排気ファンとして機能していた場合には、そのままの運転を継続し、逆転、吸気ファンとして機能していた場合には、一度運転を停止し、停止後、または一定時間経過後に正転起動する指令を出し、脱臭装置Ｍ１に臭気ガスを誘導する。
【００４８】
ここで、第二インタフェース部１１に入力された臭気センサＳ１，Ｓ２の検出信号の一方が設定値以下に低くなった場合においては、低くなった方の臭気センサに近い方の運用を通常換気方式に切り替える。すなわち、例えば、臭気センサＳ２が検出する臭気ガスの濃度が設定値以下となった場合においては、第一ダンパＤ３を全開、第二ダンパＤ４を全閉とし、送風機Ｆ２は逆転、吸気に切り替え、臭気センサＳ１が検出する臭気ガスの濃度が設定値以下となった場合においては、第一ダンパＤ１を全開、第二ダンパＤ２を全閉とし、送風機Ｆ１は逆転、吸気に切り替える。これにより、送風機Ｆ１による臭気ガスの排気と送風機Ｆ２による臭気ガスの送風との双方の効果で、または、送風機Ｆ１による臭気ガスの送風と送風機Ｆ２による臭気ガスの排気との双方の効果で、効率よく臭気ガスを脱臭装置Ｍ１に誘導することができる。
【００４９】
また、臭気センサＳ１，Ｓ２の両方が検出する臭気ガスの濃度が設定値以下となった場合においては、第二ダンパＤ２，Ｄ４を全閉とし、第一ダンパＤ１，Ｄ３を全開とし、送風機Ｆ１，Ｆ２を臭気ガスの種類に応じて排気または吸気の通常換気方式に戻す。
【００５０】
図５は、上記本実施の形態２の臭気発生源の状態と各機器の動作状態の遷移をまとめた図である。
図５において、臭気センサＳ１，Ｓ２のＯＮとは、臭気センサＳ１，Ｓ２が検出する臭気ガスの濃度が設定値を超えた場合であり、臭気センサＳ１，Ｓ２のＯＦＦとは、臭気センサＳ１，Ｓ２が検出する臭気ガスの濃度が設定値以下の場合である。
【００５１】
また、送風機Ｆ１，Ｆ２の正転とは、建物６内部から開口部１方向に送風する排気ファンとして機能させる場合であり、送風機Ｆ１，Ｆ２の逆転とは、開口部１から建物６内部方向へ送風する吸気ファンとして機能させる場合である。
【００５２】
また、ＯＮ，ＯＦＦの矢印は、臭気センサＳ１，Ｓ２の検出値が設定値を超える変化があった場合（ＯＮの矢印）、臭気センサＳ１，Ｓ２の検出値が設定値以下になる変化があった場合（ＯＦＦの矢印）を表している。
【００５３】
図５において、脱臭制御システムは、図５（ａ）に示すように臭気センサＳ１及び臭気センサＳ２ともにＯＦＦの状態で運用中に、臭気センサＳ１がＯＮとなった場合には、図５（ｂ）の状態での運用に遷移する。また、図５（ｂ）の状態での運用中において臭気センサＳ１がＯＦＦとなった場合には、図５（ａ）の状態での運用に遷移する。
【００５４】
図５において、図５（ａ）に示すように臭気センサＳ１及び臭気センサＳ２ともにＯＦＦの状態で運用中に、臭気センサＳ２がＯＮとなった場合には、図５（ｃ）の状態での運用に遷移する。また、図５（ｃ）の状態での運用中において臭気センサＳ２がＯＦＦとなった場合には、図５（ａ）の状態での運用に遷移する。
【００５５】
図５において、図５（ｂ）に示すように臭気センサＳ１がＯＮで臭気センサＳ２がＯＦＦの状態で運用中に、臭気センサＳ２がＯＮとなった場合には、図５（ｄ）の状態での運用に遷移する。また、図５（ｄ）の状態での運用中において臭気センサＳ２がＯＦＦとなった場合には、図５（ｂ）の状態での運用に遷移する。
【００５６】
図５において、図５（ｃ）に示すように臭気センサＳ１がＯＦＦで臭気センサＳ２がＯＮの状態で運用中に、臭気センサＳ１がＯＮとなった場合には、図５（ｄ）の状態での運用に遷移する。また、図５（ｄ）の状態での運用中において臭気センサＳ１がＯＦＦとなった場合には、図５（ｃ）の状態での運用に遷移する。
【００５７】
図５において、図５（ｂ）に示すように臭気センサＳ１がＯＮで臭気センサＳ２がＯＦＦの状態で運用中に、臭気センサＳ１がＯＦＦとなり、臭気センサＳ２がＯＮとなった場合には、図５（ｃ）の状態での運用に遷移する。また、図５（ｃ）の状態での運用中において臭気センサＳ１がＯＮとなり、臭気センサＳ２がＯＦＦとなった場合には、図５（ｂ）の状態での運用に遷移する。
【００５８】
図５において、図５（ａ）に示すように臭気センサＳ１がＯＦＦで臭気センサＳ２がＯＦＦの状態で運用中に、臭気センサＳ１，Ｓ２が共にＯＮとなった場合には、図５（ｃ）の状態での運用に遷移する。また、図５（ｃ）の状態での運用中において臭気センサＳ１，Ｓが共にＯＦＦとなった場合には、図５（ａ）の状態での運用に遷移する。
【００５９】
上記のように、本実施の形態２に記載の脱臭制御システムによれば、第一ダクト２に正転及び逆転の制御ができる送風機Ｆ１，Ｆ２を設置することによって、第一ダクト２それぞれを排気用及び吸気用に共用することができ、また、送風機Ｆ１，Ｆ２の設置ですむので設備投資を低減することができるとともに、送風機Ｆ１，Ｆ２を排気用と吸気用に共用するのでランニングコストを抑制することができる。
【００６０】
本実施の形態２では、臭気発生源が２つの場合を示したが、本実施の形態２は、臭気発生源が３つ以上の場合にも適用することができる。すなわち、建物６内部にある複数の臭気発生源Ｂ１・・Ｂｎそれぞれの臭気ガスの濃度及び種類を検出する複数の臭気センサＳ１・・Ｓｎ、建物６の外部に設置され、臭気ガスを脱臭する脱臭装置Ｍ１、建物６外及び建物６内の空気を吸排するための吸排気口７、臭気発生源Ｂ１・・Ｂｎそれぞれに近い位置に配置され、排気ファン及び吸気ファンとして機能する複数の送風機Ｆ１・・Ｆｎ、一端に送風機Ｆ１・・Ｆｎそれぞれが設置され建物６内部と連通し他端に建物６外への開口部１を有する第一ダクト２、第一ダクト２それぞれと脱臭装置Ｍ１とをつなぐ第二ダクト３、第一ダクト２それぞれの他端側に設置され、第一ダクト２の通風量を制御する第一ダンパ、第一ダクト２それぞれと第二ダクト３との合流部に設置され第一ダクト２から第二ダクト３への通風量を制御する第二ダンパ、脱臭装置Ｍ１の起動及び停止を制御し、送風機Ｆ１・・Ｆｎそれぞれを排気ファン、吸気ファンまたは停止とし、第一ダンパそれぞれ及び第二ダンパそれぞれの開閉を制御する動力制御回路Ｋ１を備えたものとする。
【００６１】
これにより、建物６内部にある複数の臭気発生源Ｂ１・・Ｂｎそれぞれに近い位置に排気ファン及び吸気ファンの切り替え制御ができる送風機Ｆ１・・Ｆｎを設置し、第一ダクト２に送風機Ｆ１・・Ｆｎを設置することによって、第一ダクト２それぞれを排気用及び吸気用に共用することができるので設備投資を低減することができる。
【００６２】
また、動力制御回路Ｋ１により、複数の臭気センサＳ１・・Ｓｎ全てが検出した臭気ガスの濃度が脱臭処理を必要とする所定の設定値を超えた場合に、脱臭装置Ｍ１を起動し、第一ダンパ全てを全閉とし、第二ダンパ全てを全開とし、送風機Ｆ１・・Ｆｎ全てを排気ファンとし、複数の臭気センサＳ１・・Ｓｎの一部が検出した臭気ガスの濃度が上記設定値を超え、複数の臭気センサＳ１・・Ｓｎの他部が検出した臭気ガスの濃度が上記設定値以下である場合に、脱臭装置Ｍ１を起動し、臭気センサＳ１・・Ｓｎの一部が検出した臭気ガスの臭気発生源に近い位置に配置された送風機を設置した第一ダクト２の第一ダンパを全閉、第二ダンパを全開とし送風機を排気ファンとし、臭気センサＳ１・・Ｓｎの他部が検出した臭気ガスの臭気発生源に近い位置に配置された送風機を設置した第一ダクト２の第一ダンパを全開、第二ダンパを全閉とし送風機を吸気ファンとし、複数の臭気センサＳ１・・Ｓｎ全てが検出した臭気ガスの濃度が上記設定値以下の場合で、上記臭気ガスが人体に影響しない種類である場合に、脱臭装置Ｍ１を停止し、第一ダンパ全てを全開とし、第二ダンパ全てを全閉とし、送風機全てを排気ファンとし、複数の臭気センサＳ１・・Ｓｎ全てが検出した臭気ガスの濃度が上記設定値以下の場合で、臭気センサＳ１・・Ｓｎの一部が検出した臭気ガスが人体に影響し得る種類であり、臭気センサＳ１・・Ｓｎの他部が検出した臭気ガスが人体に影響しない種類である場合に、脱臭装置Ｍ１を停止し、臭気センサＳ１・・Ｓｎの一部が検出した臭気ガスの臭気発生源に近い位置に配置された送風機を設置した第一ダクト２の第一ダンパを全開、第二ダンパを全閉とし送風機を吸気ファンとし、他部の臭気センサが検出した臭気ガスの臭気発生源に近い位置に配置された送風機を設置した第一ダクト２の第一ダンパを全開、第二ダンパを全閉とし送風機を排気ファンとし、複数の臭気センサＳ１・・Ｓｎ全てが検出した臭気ガスの濃度が上記設定値以下である場合で、複数の臭気センサＳ１・・Ｓｎ全てが検出した臭気ガスが人体に影響しない種類である場合に、脱臭装置Ｍ１を停止し、第一ダンパ全てを全開、第二ダンパ全てを全閉とし、送風機Ｆ１・・Ｆｎ全てを排気ファンとすることにより、臭気ガスの濃度及び種類に応じた処理を行うことができるとともに、脱臭装置Ｍ１を起動することが必要な場合以外は脱臭装置Ｍ１を停止することによってランニングコストを低減することができる。
【産業上の利用可能性】
【００６３】
本発明に係る脱臭制御システムは、下水処理場などの建物内において発生した臭気ガスの、脱臭に有効に利用することができる。
【符号の説明】
【００６４】
１  開口部、２  第一ダクト、３  第二ダクト、６  建物、７  吸排気口、
１０  第一インタフェース部、１１  第二インタフェース部、１２  コントローラ部、
１３  駆動回路部、１４  表示部、Ａ１  電源、Ｂ１，Ｂ２  臭気発生源、
Ｄ１，Ｄ３  第一ダンパ、Ｄ２，Ｄ４  第二ダンパ、Ｆ１，Ｆ２  送風機、
Ｍ１  脱臭装置、Ｓ１，Ｓ２  臭気センサ。
【図１】
0005602692.tif 000002
【図２】
0005602692.tif 000003
【図３】
0005602692.tif 000004
【図４】
0005602692.tif 000005
【図５】
0005602692.tif 000006